(57)【特許請求の範囲】
【請求項１】
吊り荷を吊り下げるワイヤーロープの巻上及び巻下動作を行うモータと、前記モータの回転数に合わせてパルスを発生するエンコーダと、前記モータを制御するインバータ装置とを有する電動巻上機であって、
前記インバータ装置は、
インバータ通電電流を測定する電流測定部を有する巻上用インバータと、
運転中に、前記エンコーダが発生するパルスにより演算したモータ回転数と、該インバータ装置が運転指示を行っている回転数とに基づいて前記モータのスベリ値を演算し、前記電流測定部が測定したインバータ通電電流の電流値と、前記演算したモータのスベリ値とに基づいて荷重区分を判別し、この判別した荷重区分に応じたブースト値に調整するインバータ制御部と、を有し、
前記荷重区分には、荷重が大きい順に［重荷重］と［中荷重］と［軽荷重］とがあり、前記インバータ制御部は、前記インバータ通電電流の電流値および前記モータのスベリ値と、前記［重荷重］の荷重判別値および前記［中荷重］の荷重判別値および前記［軽荷重］の荷重判別値とを比較して荷重区分を判別し、運転開始時に前記［重荷重］の荷重区分にセットされていたブースト値を、前記荷重の判別結果の荷重区分に合わせた前記［重荷重］または前記［中荷重］または前記［軽荷重］のブースト値として運転を行うことを特徴とする電動巻上機。
【請求項２】
請求項１に記載の電動巻上機において、前記荷重区分には、前記［重荷重］よりも荷重が大きい［過荷重］があり、前記インバータ制御部は、前記インバータ通電電流の電流値および前記モータのスベリ値と、前記［重荷重］の荷重判別値との比較の前に、前記インバータ通電電流の電流値および前記モータのスベリ値と、前記［過荷重］の荷重判別値とを比較して荷重区分を判別し、前記［過荷重］の判別結果の場合は、巻上運転を不可能とし、巻下運転のみを可能とするよう制御することを特徴とする電動巻上機。
【請求項３】
請求項１に記載の電動巻上機において、前記インバータ制御部は、前記巻上運転および前記巻下運転の運転終了後に前記ブースト値を前記［重荷重］のブースト値とすることを特徴とする電動巻上機。
【請求項４】
請求項１に記載の電動巻上機において、前記インバータ制御部は、前記インバータ通電電流の電流値および前記モータのスベリ値に基づいて荷重を判別する際の各荷重判別値を記憶する記憶部と、前記インバータ通電電流の電流値および前記モータのスベリ値と、前記記憶部に記憶した各荷重判別値とを比較して荷重区分を判別し、この判別した荷重区分に応じたブースト値とする制御演算部と、前記制御演算部による荷重区分の判別結果を表示する表示部とを有することを特徴とする電動巻上機。
【請求項５】
吊り荷を吊り下げるワイヤーロープの巻上及び巻下動作を行うモータと、前記モータの回転数に合わせてパルスを発生するエンコーダと、前記モータを制御するインバータ装置とを有する電動巻上機の制御方法であって、
前記インバータ装置でインバータ通電電流を測定し、運転中に、前記エンコーダが発生するパルスにより演算したモータ回転数と、該インバータ装置が運転指示を行っている回転数とに基づいて前記モータのスベリ値を演算し、前記測定したインバータ通電電流の電流値と、前記演算したモータのスベリ値とに基づいて荷重区分を判別し、この判別した荷重区分に応じたブースト値に調整して前記電動巻上機の運転を制御し、
前記荷重区分には、荷重が大きい順に［重荷重］と［中荷重］と［軽荷重］とがあり、前記インバータ装置は、前記インバータ通電電流の電流値および前記モータのスベリ値と、前記［重荷重］の荷重判別値および前記［中荷重］の荷重判別値および前記［軽荷重］の荷重判別値とを順に比較して荷重区分を判別し、運転開始時に前記［重荷重］の荷重区分にセットされていたブースト値を、一定時間経過後の運転動作において、前記荷重の判別結果の荷重区分に合わせた前記［重荷重］または前記［中荷重］または前記［軽荷重］のブースト値として前記電動巻上機の運転を行うことを特徴とする電動巻上機の制御方法。
【請求項６】
請求項５に記載の電動巻上機の制御方法において、前記荷重区分には、前記［重荷重］よりも荷重が大きい［過荷重］があり、前記インバータ装置は、前記インバータ通電電流の電流値および前記モータのスベリ値と、前記［重荷重］の荷重判別値との比較の前に、前記インバータ通電電流の電流値および前記モータのスベリ値と、前記［過荷重］の荷重判別値とを比較して荷重区分を判別し、前記［過荷重］の判別結果の場合は、巻上運転を不可能とし、巻下運転のみを可能とするよう前記電動巻上機の運転を制御することを特徴とする電動巻上機の制御方法。
【請求項７】
請求項５に記載の電動巻上機の制御方法において、前記インバータ装置は、前記巻上運転および前記巻下運転の運転終了後に前記ブースト値を前記［重荷重］のブースト値とすることを特徴とする電動巻上機の制御方法。
【請求項８】
請求項５に記載の電動巻上機の制御方法において、前記インバータ装置は、荷重区分の判別結果を表示部に表示することを特徴とする電動巻上機の制御方法。 
【発明の詳細な説明】
【技術分野】
【０００１】
本発明は、インバータ制御の電動巻上機に関する。
【背景技術】
【０００２】
例えば、インバータ制御の電動巻上機は、吊り荷を上げ下げする巻上用電動機（モータ）と、この巻上用電動機を駆動する巻上用インバータ駆動部などを有し、モータの駆動力でワイヤーロープを巻き上げることで、このワイヤーロープの一端に取り付けられたフックに吊り下げられた吊り荷を吊り上げる装置である（例えば、特許文献１参照）。
【先行技術文献】
【特許文献】
【０００３】
【特許文献１】特開２００１−２４０３７１号公報
【発明の概要】
【発明が解決しようとする課題】
【０００４】
ところで、上述した特許文献１に記載のようなインバータ制御の電動巻上機では、例えば低速領域でのトルクを調整するブースト値が設定されている。このブースト値とは、巻上機の始動時または低速時のトルク不足を補うために始動電圧を高くするためのものである。従来技術では、低速領域でのトルク不足を補うために、例えば常時１２５％程度の荷重が巻き上げられるようなブースト値が設定をされている。そのため、荷重が無負荷のときにもブースト値が高めになっており、低速領域での電圧を必要以上に高くしているためインバータの損失が大きくなっている。
【０００５】
そこで、本発明は上述した課題に鑑みて成されたものであり、インバータの損失を下げる電動巻上機を提供することである。
【課題を解決するための手段】
【０００６】
本願において開示される発明のうち、代表的なものの概要を簡単に説明すれば、次のとおりである。
【０００７】
すなわち、電動巻上機は、吊り荷を吊り下げるワイヤーロープの巻上及び巻下動作を行うモータと、前記モータの回転数に合わせてパルスを発生するエンコーダと、前記モータを制御するインバータ装置とを有し、前記インバータ装置は、インバータ通電電流を測定する電流測定部を有する巻上用インバータと、運転中に、前記エンコーダが発生するパルスにより演算したモータ回転数と、該インバータ装置が運転指示を行っている回転数とに基づいて前記モータのスベリ値を演算し、前記電流測定部が測定したインバータ通電電流の電流値と、前記演算したモータのスベリ値とに基づいて荷重区分を判別し、この判別した荷重区分に応じたブースト値に調整するインバータ制御部と、を有することを特徴とする。
【発明の効果】
【０００８】
本発明によれば、インバータの損失を下げる電動巻上機を提供することができる。
【図面の簡単な説明】
【０００９】
【図１】本発明に係る電動巻上機の全体構成の一例を示す斜視図である。
【図２】図１に示した電動巻上機において、インバータ装置の構成の一例を示すブロック図である。
【図３】図１に示した電動巻上機において、運転時のブースト値可変制御の流れの一例を示すフローチャートである。
【図４】図１に示した電動巻上機において、ブースト値およびインバータ出力電圧カーブの一例を示す説明図である。
【発明を実施するための形態】
【００１０】
以下の実施の形態においては、便宜上その必要があるときは、複数の実施例またはセクションに分割して説明するが、特に明示した場合を除き、それらは互いに無関係なものではなく、一方は他方の一部または全部の変形例、詳細、補足説明等の関係にある。また、以下の実施の形態において、要素の数等（個数、数値、量、範囲等を含む）に言及する場合、特に明示した場合および原理的に明らかに特定の数に限定される場合等を除き、その特定の数に限定されるものではなく、特定の数以上でも以下でも良い。
【００１１】
さらに、以下の実施の形態において、その構成要素（要素ステップ等も含む）は、特に明示した場合および原理的に明らかに必須であると考えられる場合等を除き、必ずしも必須のものではないことは言うまでもない。同様に、以下の実施の形態において、構成要素等の形状、位置関係等に言及するときは、特に明示した場合および原理的に明らかにそうでないと考えられる場合等を除き、実質的にその形状等に近似または類似するもの等を含むものとする。このことは、上記数値および範囲についても同様である。
【００１２】
［本発明の実施の形態の概要］
本発明の実施の形態に係る電動巻上機（一例として、（）内に対応する構成要素、符号などを付記）は、吊り荷を吊り下げるワイヤーロープの巻上及び巻下動作を行うモータ（巻上誘導電動機３）と、前記モータの回転数に合わせてパルスを発生するエンコーダ（１６）と、前記モータを制御するインバータ装置（１１）とを有するものである。そして、前記インバータ装置は、インバータ通電電流を測定する電流測定部（１７）を有する巻上用インバータ（１５）と、運転状態を前記エンコーダが発生するパルスにより演算したモータ回転数と、該インバータ装置が運転指示を行っている回転数とに基づいて前記モータのスベリ値を演算し、前記電流測定部が測定したインバータ通電電流の電流値と、前記演算したモータのスベリ値とに基づいて荷重を判別し、この判別し荷重区分に合わせたブースト値に調整するインバータ制御部（１４）を有することを特徴とする。
【００１３】
より詳細には、上部ドラムとフックとの間に繋がっているワイヤーロープと、このワイヤーロープの巻上及び巻下動作を行うモータ、またモータには回転数に合わせてパルスを発生するエンコーダを備えている。また、モータを制御する巻上用インバータ、インバータ制御部を備えており、巻上用インバータはインバータ通電電流を測定する電流測定部を備えており、インバータ制御部はエンコーダが発生するパルスにより演算したモータ回転数とインバータ制御部が運転指示を行っている回転数とによりモータのスベリ値の演算を行う。
【００１４】
荷重区分は、運転中の電流測定部により測定を行うインバータ通電電流の電流値、インバータ制御部により演算を行うモータのスベリ値により判別を行う。しかし、荷重区分の判別を電動巻上機の運転中に行うため、判別を行うのには一定の時間を必要とする。そのため、例えば運転開始時は１２５％荷重が巻上可能な荷重区分［重］のブースト値に設定しておくものとする。そして、運転が一定時間経過後に、荷重区分［軽、中、重］の判別を行い、荷重区分［重］にセットされていたブースト値を、一定時間以降の運転動作を荷重区分に合わせた［重］、［中］、［軽］のブースト値として、運転を行う。そして、運転を停止すると、ブースト値は荷重区分［重］のブースト値へ戻るようにする。 
【００１５】
上述した本発明の実施の形態の概要に基づいた本発明の実施例を、以下において図面に基づいて詳細に説明する。なお、本発明は図示例に限定されるものではない。また、実施例を説明するための全図において、同一の部材には原則として同一の符号を付し、その繰り返しの説明は省略する。
【００１６】
［実施例１］
本発明の実施例１に係る電動巻上機について、図１〜図４を用いて説明する。本実施例では、一例として、３ｔ用の電動巻上機を例に説明するが、これに限定されるものでないことは言うまでもない。また、一例として荷重区分を［軽、中、重］の三段階の判別としているがこれに限定されるものでないことは言うまでもない。また、一例として荷重区分の判別をインバータ表示部へ表示させているが箇所はこれに限定されるものでないことは言うまでもない。
【００１７】
＜電動巻上機の全体構成および動作＞
まず、図１を用いて、本実施例に係る電動巻上機の全体構成および動作について説明する。図１は、この電動巻上機の全体構成の一例を示す図である。
【００１８】
本実施例の電動巻上機は、フック１、ワイヤーロープ２、巻上誘導電動機３、ドラム４、横行誘導電動機５、横行用装置６、インバータ装置１１、押ボタン１３などから構成される。そして、電動巻上機は横行用ガーダ７に取り付けられて横行可能となっている。また、横行用ガーダ７は走行誘導電動機８を備えた走行用装置９に取り付けられており、走行用装置９は走行用ガーダ１０に設置され走行可能となっている。横行用ガーダ７には、走行用制御装置１２が取付けられている。
【００１９】
この電動巻上機では、走行用ガーダ１０はＹ方向に延びるように設置され、この走行用ガーダ１０上に搭載されて、横行用ガーダ７はＸ方向に延びるように設置されている。走行用ガーダ１０は、例えば建物の天井部分などに固定される。この走行用ガーダ１０上に搭載された横行用ガーダ７は、走行用ガーダ１０の軌道に沿ってＹ方向に走行可能となっている。
【００２０】
この横行用ガーダ７は、両端が走行誘導電動機８を備えた走行用装置９に固定され、走行用制御装置１２により走行誘導電動機８を制御することで、走行用ガーダ１０の軌道に沿って、＋Ｙ方向、−Ｙ方向に走行させることができる。
【００２１】
また、この横行用ガーダ７には、巻上誘導電動機３を備えたドラム４と、横行誘導電動機５を備えた横行用装置６が一体となった電動巻上機が取り付けられている。この横行誘導電動機５を備えた横行用装置６において、走行用制御装置１２により横行誘導電動機５を制御することで、巻上誘導電動機３を備えたドラム４を横行用ガーダ７の軌道に沿って、＋Ｘ方向、−Ｘ方向に走行させることができる。
【００２２】
さらに、巻上誘導電動機３を備えたドラム４には、インバータ装置１１が設けられ、このインバータ装置１１により巻上誘導電動機３の制御を行っている。また、この巻上誘導電動機３を備えたドラム４には、フック１を動滑車として備えたワイヤーロープ２が巻かれており、また、押ボタン１３がインバータ装置１１に接続されている。この押ボタン１３により、フック１に吊り荷を吊り下げてワイヤーロープ２の巻上（＋Ｚ方向）、巻下（−Ｚ方向）を行うことができる。
【００２３】
＜インバータ装置の構成および動作＞
次に、図２を用いて、図１に示した電動巻上機において、インバータ装置１１の構成および動作について説明する。図２は、このインバータ装置１１の構成の一例を示すブロック図である。
【００２４】
インバータ装置１１には、各種制御を行うインバータ制御部１４、巻上用インバータ１５が格納されている。インバータ制御部１４には、動作指令を送る押ボタン１３、巻上用インバータ１５により駆動する巻上誘導電動機（モータ）３の回転に応じたパルス信号をインバータ制御部１４に送るエンコーダ１６が接続されている。
【００２５】
また、巻上用インバータ１５は、インバータ通電電流を測定する電流測定部１７を有する。この巻上用インバータ１５には、三相電源２１から電源が供給され、また、この巻上用インバータ１５から巻上誘導電動機（モータ）３に対して駆動信号が供給されている。
【００２６】
また、インバータ制御部１４は、制御演算部１８、記憶部１９、および表示部２０を有する。このインバータ制御部１４において、制御演算部１８は、運転中に運転指示を行っているモータ回転数とエンコーダ１６が発生するパルスにより演算したモータ回転数とに基づいてモータのスベリ値を演算し、この演算したモータのスベリ値と、巻上用インバータ１５の電流測定部１７が測定したインバータ通電電流の電流値とにより、荷重区分の判別を行う。この荷重区分の判別の際の各荷重判別値は、記憶部１９に格納されている。また、この荷重区分の判別の結果は、表示部２０に表示することができる。また、一例として荷重区分の判別をインバータ表示部へ表示させているが、表示箇所はこれに限定されるものでないことは言うまでもない。
【００２７】
次に、図３を用いて、図１に示した電動巻上機において、運転時のブースト値可変制御の流れについて説明する。図３は、運転時のブースト値可変制御の流れの一例を示すフローチャートである。図３では、一例として、３ｔ用の電動巻上機を説明する。この運転時のブースト値可変制御は、インバータ装置１１のインバータ制御部１４、特にインバータ制御部１４内の制御演算部１８において実行される。
【００２８】
まず、ステップＳ１において、巻上または巻下の運転を開始する。この巻上または巻下の運転の開始は、押ボタン１３を押して、インバータ制御部１４に動作指令を送ることによって行うことができる。この運転開始時は、［重荷重］の巻上が可能なブースト値にセットしておく。
【００２９】
次に、ステップＳ２において、巻上または巻下の運転中に、巻上用インバータ１５の電流測定部１７によりインバータ通電電流の電流値を測定し、また、インバータ制御部１４が指示している回転数とエンコーダ１６が発生するパルスにより演算したモータ回転数とからモータのスベリ値の測定を行う。
【００３０】
スベリ値の測定は、下記（式１）の演算を複数回行いその平均により判断している。また、荷重が大きくなるに従いスベリ値も大きくなるので荷重区分により判断値を設定することが可能である。
【００３１】
（式１）
インバータ制御部の送信回転数−エンコーダにより測定したモータの回転数＝スベリ値
【００３２】
また、電流値も同様に荷重が大きくなるに従い、出力電流も大きくなるので荷重区分により判断値を設定することが可能である。
【００３３】
このように、インバータ通電電流の電流値とモータのスベリ値の双方を用いて比較することにより荷重判別の安全性を高めるメリットがある。
【００３４】
例えば、運転中にスベリ値は[重荷重]の荷重区分と判別したが、電流値は[過荷重]の荷重区分と判別した場合、大きい方の荷重区分を優先し[過荷重]の荷重区分と判断して巻上動作をさせないよう制御する。
【００３５】
そして、ステップＳ３において、測定したモータのスベリ値およびインバータ通電電流の電流値と、インバータ制御部１４の記憶部１９に保存されているスベリ値および電流値による３ｔ用の荷重判別値との比較により、［過荷重］（１２５％以上）となる、３．７５ｔ以上（３．７５ｔ≦荷重）、かの判別を行う。
【００３６】
具体的な判別方法の一例としては、測定したモータのスベリ値およびインバータ通電電流の電流値が［過荷重］（１２５％以上）に対応する荷重判別値として設定されたスベリ値及び電流値以上であれば、［過荷重］と判別し、当該荷重判別値より小さければ［過荷重］ではないと判別する。なお、以下の［重荷重］［中荷重］［軽荷重］の荷重判別においても同様の方法で判別を行うものとする。
【００３７】
このステップＳ３の判別の結果が、［過荷重］でない場合（ＮＯ）は、さらに、ステップＳ４において、測定したモータのスベリ値およびインバータ通電電流の電流値と、インバータ制御部１４の記憶部１９に保存されているスベリ値および電流値による３ｔ用の荷重判別値との比較により、［重荷重］（７５％≦荷重＜１２５％）となる、２．２５ｔ≦荷重＜３．７５ｔ、かの判別を行う。
【００３８】
このステップＳ４の判別の結果が、［重荷重］でない場合（ＮＯ）は、さらに、ステップＳ５において、測定したモータのスベリ値およびインバータ通電電流の電流値と、インバータ制御部１４の記憶部１９に保存されているスベリ値および電流値による３ｔ用の荷重判別値との比較により、［中荷重］（２５％≦荷重＜７５％）となる、０．７５ｔ≦荷重＜２．２５ｔ、かの判別を行う。
【００３９】
以上の判別の結果、まず、ステップＳ３で［過荷重］と判別した場合（ＹＥＳ）は、ステップＳ６において、安全のために巻上運転を不可能とし、巻下運転のみを可能とする。そして、後述するステップＳ１０に進む。
【００４０】
また、ステップＳ４で［重荷重］と判別した場合（ＹＥＳ）は、次に、ステップＳ９に進み、巻上または巻下の運転が終了かの判別を行う。
【００４１】
また、ステップＳ５で［中荷重］と判別した場合（ＹＥＳ）は、次に、ステップＳ７において、［中荷重］用のブースト値へ変更を行う。
【００４２】
また、ステップＳ５で［軽荷重］と判別した場合（ＮＯ）は、次に、ステップＳ８において、［軽荷重］用のブースト値へ変更を行う。
【００４３】
そして、ステップＳ７、Ｓ８での変更後、ステップＳ９に進み、巻上または巻下の運転が終了かの判別を行う。
【００４４】
このステップＳ９の判断の結果、巻上または巻下の運転が終了していない時（ＮＯ）はステップＳ９に戻り、巻上または巻下の運転が終了するまで繰り返し、終了した時（ＹＥＳ）に、ステップＳ１０において、ブースト値の初期化（重荷重用ブースト値へ戻す）を行う。この巻上または巻下の運転の停止は、押ボタン１３を離して、インバータ制御部１４に動作指令を送ることによって行うことができる。この巻上または巻下の運転を停止すると、ブースト値を初期化することができる。
【００４５】
また、ステップＳ６の終了後にも、ステップＳ１０に進んで、ブースト値の初期化（重荷重用ブースト値へ戻す）を行う。そして、ステップＳ１１において、終了となる。
【００４６】
以上のように、［過荷重］、［重荷重］、［中荷重］、［軽荷重］の判別を行い、荷重区分に合わせた運転時のブースト値可変制御を実行することができる。なお、本実施例では、荷重判別を段階的に行う構成としたが、これに限定されるものではなく、例えば測定したスベリ値と電流値をもとに直接的にどの荷重区分に該当するかを判別する構成としても良い。
【００４７】
次に、図４を用いて、図１に示した電動巻上機において、ブースト値およびインバータ出力電圧カーブについて説明する。図４は、このブースト値およびインバータ出力電圧カーブの一例を示す説明図である。図４において、横軸は周波数、縦軸はモータ出力を示す。
【００４８】
図４に示すように、ブースト値を調整することで、設定したブースト周波数までのインバータ出力電圧カーブを変化させることができ、それにより、ブースト周波数から基底周波数（モータ出力１００％）までのカーブも変化させることができる。
【００４９】
荷重を［中荷重］または［軽荷重］と判別した場合、出力電圧カーブが［中荷重］または［軽荷重］用の出力カーブに変化することにより基底周波数以下のときは常に［重荷重］の出力電圧より低くなることからインバータの損失の低減を図ることができる。
【００５０】
以上説明したように、本発明に係る電動巻上機によれば、巻上誘導電動機３を制御するインバータ装置１１は、インバータ通電電流を測定する電流測定部１７を有する巻上用インバータ１５と、運転中に、エンコーダ１６が発生するパルスにより演算したモータ回転数と、インバータ装置１１が運転指示を行っている回転数とに基づいて巻上誘導電動機３のスベリ値を演算し、電流測定部１７が測定したインバータ通電電流の電流値と、演算した巻上誘導電動機３のスベリ値とに基づいて荷重を判別し、この判別した荷重区分に合わせたブースト値に調整するインバータ制御部１４とを有することで、インバータの損失を下げることができる。
【００５１】
より詳細には、インバータ制御部１４は、電流値およびスベリ値と、［重荷重］の荷重判別値および［中荷重］の荷重判別値および［軽荷重］の荷重判別値とを比較して荷重区分を判別し、運転開始時に［重荷重］の荷重区分にセットされていたブースト値を、一定時間経過後の運転動作において、荷重の判別結果の荷重区分に合わせた［重荷重］または［中荷重］または［軽荷重］のブースト値として、運転を行うことができる。さらに、インバータ制御部１４は、［重荷重］の荷重判別値との比較の前に、電流値およびスベリ値と、［過荷重］の荷重判別値とを比較して荷重区分を判別し、［過荷重］の判別結果の場合は、巻上運転を不可能とし、巻下運転のみを可能とすることができる。さらに、インバータ制御部１４は、巻上運転および巻下運転の運転終了後に、ブースト値を［重荷重］のブースト値に戻すことができる。
【００５２】
以上のように、インバータの損失を下げることにより、損失によるインバータの温度上昇を低減することを可能として、インバータの温度保護による運転停止までの運転可能時間を長くすることを可能となる。また、ブースト値を調整することで、運転時のインバータの損失を下げることができ、省エネを行うことを可能となる。
【００５３】
すなわち、本発明の電動巻上機により、インバータの基底周波数以下での運転で発生する損失の低減を行うことで、インバータの損失によるインバータの温度上昇を低減することが可能となり、インバータの温度保護による運転停止までの運転可能時間を延長することが可能となる。また、電動巻上機のインバータによる損失を低減することで、省エネの効果を得ることが可能となる。
【００５４】
以上、本発明者によってなされた発明を実施例に基づき具体的に説明したが、本発明は前記実施例に限定されるものではなく、その要旨を逸脱しない範囲で種々変更可能であることはいうまでもない。
【符号の説明】
【００５５】
１…フック、２…ワイヤーロープ、３…巻上誘導電動機、４…ドラム、５…横行誘導電動機、６…横行用装置、７…横行用ガーダ、８…走行誘導電動機、９…走行用装置、１０…走行用ガーダ、１１…インバータ装置、１２…走行用制御装置、１３…押ボタン、
１４…インバータ制御部、１５…巻上用インバータ、１６…エンコーダ、１７…電流測定部、１８…制御演算部、１９…記憶部、２０…表示部、２１…三相電源。
【図１】
0005848975.tif 000002
【図２】
0005848975.tif 000003
【図３】
0005848975.tif 000004
【図４】
0005848975.tif 000005